(57)【要約】  非導電性の支持体を有する、ヒトの皮膚に被着するための電極であって、支持体は、皮膚とは反対側のその上面に、信号線を取り外し可能に接続するための接続個所を備えた、突出する導電性の接続要素を有しており、支持体の、反対側の下面に少なくとも部分的に延在する横導体が設けられており、横導体は、接続要素と、皮膚側を向いた接触接続媒体と、に電気的に接続されており、接続要素（５）は、ただ１つの部分から構成されており、接続要素（５）は、一方では、電気的な横導体（３）に接続されており、他方では、別の信号線を取り外し可能に接続するための接続個所（５ａ）を有する。
2019537489.tif 000002
【特許請求の範囲】
【請求項１】
非導電性の支持体を有する、ヒトの皮膚に被着するための電極であって、前記支持体は、皮膚とは反対側のその上面に、信号線を取り外し可能に接続するための接続個所を備えた、突出する導電性の接続要素を有しており、
前記支持体の、反対側の下面に少なくとも部分的に延在する横導体が設けられており、前記横導体は、前記接続要素と、前記皮膚側を向いた接触接続媒体と、に電気的に接続されている、電極において、
前記接続要素（５）は、ただ１つの部分から構成されており、前記接続要素（５）は、一方では、電気的な前記横導体（３）に接続されており、他方では、別の信号線を取り外し可能に接続するための接続個所（５ａ）を有することを特徴とする電極。
【請求項２】
前記接続要素（５）は、金属、好適には深絞り加工の金属板から、または導電性プラスチックから、好適には導電性カーボンファイバがドーピングされたＡＢＳから構成されていることを特徴とする、
請求項１記載の電極。
【請求項３】
前記接続要素（５）は、実質的に球形のヘッド（５ａ）と、前記ヘッド（５ａ）に続いている、直径を小さくしたネック（５ｂ）と、前記ネック（５ｂ）の、前記ヘッド（５ａ）とは反対側の端部にフランジ状に側方に突出している保持領域（５ｃ）と、を有することを特徴とする、
請求項１または２記載の電極。
【請求項４】
側方に突出しているフランジ状の前記保持領域（５ｃ）は、皿状に構成されていることを特徴とする、
請求項３記載の電極。
【請求項５】
前記接続要素（５）は、全体として実質的に回転対称に構成されていることを特徴とする、
請求項１から４までのいずれか１項記載の電極。
【請求項６】
前記接続要素（５）と前記接触接続媒体（８）とは、側方に互いにオフセットされた、前記支持体（１）の位置（間隔ｄ）に配置されていることを特徴とする、
請求項１から５までのいずれか１項記載の電極。
【請求項７】
（好適には、プラスタ層（７）の凹部（７ｂ）に配置される）前記接触接続媒体（８）は、好適には塩化物がドーピングされたジェルであり、導電性接着剤として構成されているか、塩水が充填されたスポンジとして構成されていることを特徴とする、
請求項１から６までのいずれか１項記載の電極。
【請求項８】
前記接続要素（５）は、好適には直径が先細りになったネック（５ｂ）を有しており、前記支持体（１）の開口部（４）を貫通して突出していることを特徴とする、
請求項１から７までのいずれか１項記載の電極。
【請求項９】
前記接続要素（５）は、（前記開口部の領域の、場合によっては設けられている側方の当接部を除いて）、前記支持体（１）の、前記皮膚側を向いた、下面だけにおいて、（好適には平らに構成された横導体（３）を中間に接続して）前記支持体（１）に接続されていることを特徴とする、
請求項８記載の電極。
【請求項１０】
前記接続要素（５）は、支持層（６）と前記支持体（１）との間に配置されている、側方に突出する保持領域（５ｃ）を有しており、前記支持層（６）は、前記接続要素（５）の前記保持領域（５ｃ）を越えて側方に延在し、そこで前記支持体（１）に固定に接続（好適には接着）されることを特徴とする、
請求項１から９までのいずれか１項記載の電極。
【請求項１１】
前記支持層（６）は、両面接着テープとして、または熱活性化可能な接着剤から成るテープとして、または前記支持体との直接的な熱可塑性接着に適しかつ一方の面が前記接続要素（５）と前記支持体（１）とに接着される熱可塑性材料から成るテープとして構成されていることを特徴とする、
請求項１０に記載の電極。
【請求項１２】
前記両面接着テープ（６）は、反対側の面がプラスタ層（７）に接着されており、前記プラスタ層（７）は、前記電極を固定するために、（好適には生体適合性の接着剤から成る患者側のコーティング（７ａ）によって）前記皮膚に接着可能であることを特徴とする、
請求項１１記載の電極。
【請求項１３】
前記支持層（６）は、プラスタ層（７）によって形成されており、前記プラスタ層は、前記電極を固定するために、（好適には、生体適合性の接着剤（７ａ）から成る、患者側のコーティングによって）前記皮膚に接着可能であることを特徴とする、
請求項１０記載の電極。
【請求項１４】
前記プラスタ層（７）は、その上に被着される、粘着剤からまたは熱活性化可能な接着剤から成る層を介して、前記支持体（１）と前記接続要素（５）の前記保持領域（５ｃ）とに接着されていることを特徴とする、
請求項１３記載の電極。
【請求項１５】
前記支持体の材料（１）は、形状安定シートから、特にＰＥＴから構成されることを特徴とする、
請求項１から１４までのいずれか１項記載の電極。
【請求項１６】
前記支持体の材料（１）には、前記皮膚側を向いた面に、好適には粘着性または熱活性化可能に構成されている接着剤（２）がコーティングされていることを特徴とする、
請求項１から１５までのいずれか１項記載の電極。
【請求項１７】
前記横導体（３）は、少なくとも２つの異なる導電性材料を有しており、前記導電性材料のうちの１つ（３）は、前記接続要素（５）に直流的に接続されており、前記導電性材料のうちの別の１つ（３ａ）は、前記接触接続媒体（８）に直流的に接続されていることを特徴とする、
請求項１から１６までのいずれか１項記載の電極。
【請求項１８】
前記横導体（３）は、好適には、第１の導電性材料から成るストライプ状の層として構成されており、前記層は、前記接触接続媒体（８）の領域に（かつ好適には前記領域だけに）第２の導電性材料（３ａ）が設けられており、好適にはコーティングされていることを特徴とする、
請求項１７記載の電極。
【請求項１９】
前記第１の導電性材料（３）は、金属もしくは金属合金であるか、または例えば導電性カーボンファイバによって貫通的に導電性であるかもしくは表面が導電性であるプラスチックシートであるか、または貫通的に導電性であるかもしくは表面が導電性である布地材料であることを特徴とする、
請求項１８記載の電極。
【請求項２０】
前記第２の導電性材料（３ａ）は、銀／塩化銀もしくはスズ／塩化スズの対、または前記電極の脱電極に適した別の酸化還元対によって構成されていることを特徴とする、
請求項１８または１９記載の電極。
【請求項２１】
前記接続要素（５）は、残りの前記電極に接続されている、好適には接着されている保持領域（５ｃ）に、少なくとも１つの凹み（５ｅ）および／または孔（５ｄ）を前記接続要素（５）の表面に有することを特徴とする、
請求項１から２０までのいずれか１項記載の電極。
【請求項２２】
前記孔（５ｄ）は、皿状の前記保持領域（５ｃ）を貫通して延在していることを特徴とする、
請求項４を引用する請求項２１記載の電極。
【請求項２３】
前記凹み（５ｅ）は、皿状の前記保持領域（５ｃ）の周縁部に歯形および／または波形に構成されていることを特徴とする、
請求項４および５ならびに請求項２１記載の電極。
【請求項２４】
前記支持体（１）は、場合によっては前記支持体（１）に接続されている支持層（６）とともに、前記接続要素（５）の隣の領域に、少なくとも１つの切り込み部（９）を有しており、前記切り込み部（９）により、前記皮膚との接着のために設けられているプラスタ層（７）に対し、前記接続要素（５）が可動できるようにされていることを特徴とする、
請求項１から２３までのいずれか１項記載の電極。
【請求項２５】
前記横導体（３）と、前記接続要素（５）もしくは前記接続要素（５）から側方に突出するフランジ（５ｃ）と、の間に導電性接着剤が設けられていることを特徴とする、
請求項１から２４までのいずれか１項記載の電極。
【請求項２６】
前記接続要素（５）は、前記電極に取り付け済みでありかつ持続的に前記電極に接続されていることを特徴とする、
請求項１から２５までのいずれか１項記載の電極。
【請求項２７】
特に請求項１から２６までのいずれか１項記載の、ヒトの皮膚に被着するための電極を製造する方法において、
・非導電性の支持体の、前記皮膚側を向いた下面に、ストライプ状の横導体を被着し、好適には熱活性化的に接着するステップと、
・前記横導体および前記支持体を貫通する開口部を作成し、好適には打ち抜き加工するステップと、
・前記支持体の前記下面から前記開口部に、１つの部分から成る接続要素を挿入し、これにより、前記支持体の、反対側の上面に、信号線用の接続個所が突出し、前記接続要素の、側方に突出する（好適には皿状の）保持領域が、前記横導体に接触するようにするステップと、
・前記保持領域の隣で側方に前記支持体に接着される支持層により、前記接続要素の前記保持領域を覆うステップと、
を有することを特徴とする方法。
【請求項２８】
・皮膚側に接着するプラスタ層を前記支持体および／または前記支持層に被着する（好適には接着する）ステップと、
・前記プラスタ層の凹部に電気接触接続媒体（好適にはジェル）を挿入し、これにより、下に位置する横導体に接触接続させるステップと、
をさらに有することを特徴とする、
請求項２７記載の方法。
【発明の詳細な説明】
【技術分野】
【０００１】
本発明は、請求項１の上位概念に記載された電極に関する。さらに、本発明は、電極の製造方法に関する。
【背景技術】
【０００２】
このような医療用皮膚電極は、人体から電気信号を取り出す測定電極として使用可能である。しかしながらこれらの電極は、電流を人体に導くための治療用電極としても使用可能である。これらの電極は、このことを目的として皮膚に貼り付けられ、その下面に一般に導電性ジェル、または電極の接続要素に直流的に接触接続している別の電気接触接続媒体を有する。この接続要素には、電極から電流を取り出すかまたは電流を電極に供給することが可能な電気信号線を接続することができる。
【０００３】
１つのタイプの電極は、皮膚とは反対側の上面に、突出した導電性接続要素を有しており、この導電性接続要素は、ネックに続いている、多くの場合に実質的に球頭状の接続個所を備えている。
【０００４】
このタイプの電極の従来の構成では、接続要素は、２つの部分から実現されていた。上側部分（上側ボタン、雄スナップボタン）は、市販の信号線、例えばＥＣＧ線路用の接触接続および留め要素として使用される。実質的に支持体の下側には、すなわち皮膚側を向いた面には、ジェル（接触接続媒体）から直接、電位を受け取るため、またはジェルに渡すために使用される下側ボタン（雌スナップボタン）が設けられている。雌スナップボタンは、電気的にも機械的にも雄スナップボタンに接続されており、しかも一般に２つの部分のスナップ留めによって接続されており、これにより、側方に突出しているフランジ状の、雄スナップボタンの保持領域と、雌スナップボタンの同様の保持領域と、の間で、電極の支持体材料がしっかりと挟持される。このような構成により、一方では接続要素が電極の支持体に機械的に良好に保持され、他方では、信号電極に対して電気的に有利な特性を有する材料から雌スナップボタンを作成することができ、例えば、このために銀をコーティングすることができ、この銀層それ自体は、全面またはジェルと接触接続する少なくとも１つの部分領域が銀／塩化銀（Ａｇ／ＡｇＣｌ）から成る層によって覆われる。雌スナップボタンとジェルが直接、接触しないことも可能である。この場合にこのいわゆるオフ・センタ信号電極では、雌スナップボタンとジェルとを接続する横導体が設けられる。
【０００５】
しかしながら先行技術の電極は高価であり、このような大量生産品では、わずかな価格差であっても重大である。
【発明の概要】
【発明が解決しようとする課題】
【０００６】
したがって本発明の課題は、よりコスト的に有利に製造することができ、それにもかかわらず電極に接続要素が機械的に良好に係止され、かつ良好な電気特性を提供する、冒頭に述べたタイプの電極を提供することである。
【課題を解決するための手段】
【０００７】
この課題は、本発明にしたがい、請求項１に記載した電極によって解決される。
【０００８】
接続要素が、互いにスナップ留めされる２つの部分（雄スナップボタンと雌スナップボタン）から構成される、従来、頻繁に行われている一般的な２つの部分から成る構成とは異なり、本発明では、ただ１つの部分が、接続要素として設けられており、この部分は、一方では信号線を取り外し可能に接続するための接続個所を提供し、他方では電気的な横導体に（有利には直流的に）接続される。接続要素のただ１つの部分それ自体は、完全に複数の材料から、例えば、ニッケルめっきされた真鍮または導電性材料（特にカーボンファイバ）がドーピングされたプラスチックから構成することが可能である。しかしながら、このただ１つの部分は、雌スナップボタンおよび雄スナップボタンから成る従来の２つの部分の構造とは異なり、ただ１つの部分という意味において構造的なユニットになる。
【０００９】
特に好ましいのは、接続要素の次のような構成である。すなわちここでは、接続要素は、これが、実質的に球頭状のヘッドと、これに続いている、直径を小さくしたネックと、ネックの、ヘッドとは反対側の端部にフランジ状に側方に突出している保持領域を有するように構成されている。球形状のヘッドを介して、標準信号線を容易に取り外し可能に接続することができる。直径を小さくしたネックは、（好適には側方に接することなく）、開口部を通して支持体に導かれるのに対し、フランジ状に側方に突出する保持領域は、支持体の下面もしくはこれに取り付けられる層状の横導体に接続され、好ましくは接着される。直径を大きくした、フランジ状に側方に突出する保持領域は、大きな引張負荷が加わったとしても、接続要素を支持体材料に確実に固定する。
【００１０】
接続要素に圧縮荷重が加わる際にも良好な保持を保証するために、好適に規定されるのは、接続要素が、支持層と支持体との間に配置されている、側方に突出する保持領域を有することであり、支持層は、接続要素の保持領域を越えて側方に延在し、そこで支持体に固定に接続され、好適には接着される。
【００１１】
圧縮荷重によって接続要素に加わる力は、一方では、保持領域と、支持体の下面またはそこに設けられる横導体と、の接着部によって受け止められ、他方では、これらの力を支持体に側方に導く支持層によって受け止められる。
【００１２】
本発明の対象において、保持要素の電気特性に対し、高い要求が課せられることはない。したがって本発明の対象は、コスト的に有利な材料、例えば簡単な金属板から構成可能である。すなわち保持要素は、特別な電気特性を有する必要はない。というのは、電気接触接続媒体に接続されている横導体だけが、生体用電極に有利なこの電気特性を有すればよいからである。
【００１３】
除細動の場合に電極においてノイズを少なくし、脱分極を行うため、実際に酸化還元対が使用される。これらの酸化還元対は、酸化もしくは還元することができ、その際に少なくとも１つの電子を取り込むかまたは少なくとも１つの電子を放出することができる。実際にこの脱分極に対して種々異なる物質が使用される。最も頻繁には銀／塩化銀およびスズ／塩化スズが使用される。しかしながら本発明に対しては、電極の脱分極を可能にするすべての酸化還元対が考えられる。これらの酸化還元対は、アクティブに混ぜられるかまたは反応により、可能であればその場で形成することが可能である。
【００１４】
例えば銀／塩化銀は、比較的高価な物質であるため、本発明の別の一様相にしたがって、横導体が、少なくとも２つの異なる導電性材料を有し、これらの導電性材料のうちの１つが、接続要素に直流的に接続され、これらの導電性材料のうちの別の１つが、接触接続媒体に直流的に接続されるようにすれば十分である。
【００１５】
横導体を、少なくとも２つの異なる材料から構成するという手段により、コストをさらに節約することができる。すなわち実際の横導体として、例えば、金属または導電性カーボンファイバを有するプラスチックのような比較的コスト的に有利な材料を使用することができるのに対し、生体用電極の有利な電気特性にクリティカルな、電気接触接続媒体（特にジェル）との接続領域に、例えば銀／塩化銀のような第２の材料を使用することができる。この材料は、この領域において局所的にのみ設けられれば十分である。
【００１６】
全体として本発明の根底にある基本的な着想は、信号線用の接続要素が電極に良好に係止される一方で、電気特性がほとんど問題にならず、ひいてはコスト的に有利な材料を使用できるように、信号線用の接続要素を構成することである。他方、有利な電気信号線用に設けられる比較的高価な材料は、電気接触接続媒体（ジェル）との接続部における電気的にクリティカルな領域だけに使用することが可能である。この課題を担うのは横導体である。極めて手短にいうと、導電性接続要素は、電気導体の基本特性を無視すれば、主に「力学」の任を負っているといえる。横導体ではその反対である。横導体は、特別な機械的な特性を満たす必要はなく、電気接触接続媒体（ジェル）との接続個所の領域にのみ、そのために有利な材料から構成される。この限りにおいて、横導体は、特別な機械的な役割なしに「電気」の任を負っている。
【００１７】
本発明の別の利点および詳細を、以下の図の説明に基づいて詳しく説明する。
【図面の簡単な説明】
【００１８】
【図１】本発明による電極の一実施例の、電極が完成するまでの製造ステップを下側（後に皮膚側を向く面）から見た概略図である。
【図２】プロセスステップの一部だけが平面図で描画されている、図１に対応する平面図である。
【図３】図１の線Ａ−Ａによる一連の断面を示す図である。
【図４】別の実施例についての図１と実質的に同じ図である。
【図５】別の実施例についての図２と実質的に同じ図である。
【図６】別の実施例についての図３と実質的に同じ図である。
【図７】電気接続要素の実施例を下側から見た図である。
【図８】電気接続要素の実施例を下側から見た別の図である。
【発明を実施するための形態】
【００１９】
図３は、概略図よりも良好な視覚化のためのものと理解すべきである。実際にはこの積層体は、医療用電極において一般的であるのとは異なるサイズを有する。図１〜図３を参照し、ヒトの皮膚に被着するための、本発明による電極の一実施例を製造する方法の流れを詳しく説明する。
【００２０】
非導電性の支持体１から出発する。支持体材料は、電極の電気構成要素を係止するために使用される。これは、例えば、（フレキシブルな）シートから（例えばＰＥＴまたはＴＰＵから）構成可能であり、このシートは、図１において表側の下面に接着剤２がコーティングされており、接着剤２は、例えば、粘着性（感圧型接着性）または熱活性化可能（ホットメルト）に実現することができる。
【００２１】
次のステップでは、この支持体材料にストライプ状の横導体３が固定され、特に接着される。本発明の好ましい一変形実施形態においてこの横導体は、異なる２つの導電性材料を有しており、これらの導電性材料のうちの１つは、後に電気接続要素に直流的に接続され、これらの導電性材料のうちの別の１つは、接触接続媒体（ジェル）に直流的に接続される。
【００２２】
図示した実施例においてこの横導体は、導電性のカーボンファイバがドーピングされたプラスチックから成る、黒で描画したストライプ状の導体である。電気接触接続媒体（ジェル）との後の接触接続個所の領域において、この横導体３（第２の導電性材料を備えた第１の材料）には、例えば銀／塩化銀またはスズ／塩化スズまたは別の酸化還元対から成る層３ａがコーティングされている。
【００２３】
好適には、有利な電気特性のために接触接続個所から後のジェルに向かって設けられるこの層３ａは、後にジェルが設けられる個所だけに設けられる。その他の個所では、以下で説明する電気接続要素との電気接続を形成するために、格段にコスト的に好ましい「通常の」導体３で十分である。
【００２４】
次のステップでは、電気的な横導体３および支持体１を通る孔４が設けられる。これは、例えば、打ち抜き加工によって行ってよい。引き続き、図示しない市販の信号線を取り外し可能に接続するための実質的に球頭状の接続個所５ａを有しかつ支持体１の上面１ａを越えて突出する導電性接続要素５が挿入される。
【００２５】
電気接続要素は、図示した実施例において、実質的に球形のヘッド５ａとの接続部において、直径を小さくしたネック５ｂを有しており、このネック５ｂには、最終的に、ヘッド５ａとは反対側の端部に、フランジ状に側方に突出する保持領域５ｃが設けられる。
【００２６】
全体としてフランジ状の側方に突出しているこの保持領域５ｃは、実質的に皿状に構成されている。保持領域５ｃは、一方では、支持体１と皿状のフランジ５ｃとの間に横導体３が「挟持される」ことにより、横導体３との電気的な接触接続に使用される。他方では、皿状のフランジは、特に、信号ケーブルによってヘッド５ａに加わり、ひいては接続要素５全体に加わり得る引張負荷に対して、電気接続要素の機械的な保持を形成するために使用される。
【００２７】
好ましくは、横導体３と、接続要素５もしくは接続要素５から側方に突出するフランジ５ｃと、の間に、導電性接着剤が設けられるように規定する。
【００２８】
従来一般的であった、スナップ留めされかつ上に突出する雄スナップボタン（上側ボタン）と、下にある雌スナップボタン（下側ボタン）と、から成る２つの部分の接続要素とは異なり、本発明では、ただ１つの部分から成る接続要素５が使用され、この接続要素５は、一方では、電気的な横導体３と接続され、他方では、（図示しない）信号線を取り外し可能に接続するための接続個所５ａを有する。これにより、電極のコスト的に有利な製造が可能になる。というのは、最もコストが集中する雌スナップボタン（下側ボタン）を省略できるからである。機械的な係止には、接続要素を１つの部分で構成するので十分である。
【００２９】
電気特性に対する要求は、わずかである。これにより、例えば深絞り加工の金属部分のような簡単な構成物を接続要素５として使用可能である。すなわち、いくらかより扱いにくい電気的な役割は、ここでは、いつもの通常の雌スナップボタン（下側ボタン）が引き受けるのではなく、後に塗布される電気接触接続媒体（ジェル）と接続される、横導体３の端部が引き受ける。すなわち役割が分割される。電気接続要素は、基本特性を除いて導電性であってよく、実質的に電極における機械的な保持の任を負うのに対し、横導体は、機械的な役割から十分に開放される。これにより、有利な材料選択を行うことができる。特に、より高価な（電気的な観点から有利な）材料を、後にジェルとの接触接続が行われる個所（個所３ａ）だけに設けることが可能である。
【００３０】
導電性接続要素は（すでに述べたように）深絞り加工の金属板から構成することが可能である。この場合、内部は少なくとも部分的に中空である。しかしながら、導電性プラスチックから、例えば導電性カーボンファイバがドーピングされたＡＢＳからこれを構成することも可能である。
【００３１】
有利には、接続要素は、実質的に回転対称に構成される。別の変形形態も可能である。
【００３２】
電気接続要素５ｃを最終的に電極に固定するため、また特にヘッド５ａに加わる圧縮荷重に対して保護するためにも、次のステップでは支持層６を被着する。この支持層６は、例えば、両面接着テープから構成することが可能であり、この両面接着テープは、図１において裏側になる面において、接続要素５と（具体的には皿状の保持領域５ｃと）、支持体１の下面１ａの領域と、に接着される。
【００３３】
ここではこれらの層に圧力を加えることができ、これにより、これらの層は、相応に輪郭が描かれ、互いに接続される。しかしながら図３に示された、支持層６を被着した後の、そこに示したエッジを有する断面は、単に概略的な描画と理解すべきである。実際には層厚は、多くの場合により薄く、層の経過は実質的により丸まっている。
【００３４】
支持体１と、電気的な横導体３と、電気接続要素５の保持領域５ｃと、に一方の面が接着されている両面接着テープ６には、他方の面にプラスタ層７が接着され、このプラスタ層７は、電極を固定するために、好適には、生体適合性の接着剤から成る患者側のコーティングを用いて皮膚に接着可能である。
【００３５】
図示した実施例とは異なり、支持層をプラスタ層から（中間に配置される両面接着テープなしに）直接、形成することも可能である。ここでは、プラスタ層を、その上に被着される、粘着剤からまたは熱活性化可能な接着剤から成る層を介して、支持体１と、接続要素５の保持領域５ｃと、に接着することも可能である。
【００３６】
図１〜図３に示した実施例に戻る。そこに図示されているプラスタ材料７は、両面接着テープ６を介してだけではなく、支持体１の下面２の接着剤を介して支持体１に固定に接続される。
【００３７】
プラスタ材料は、最終的には、患者の皮膚に電極を固定するために使用される。適切なプラスタ材料は、例えば、シート（例えばＰＥ）から、発泡テープ（例えばＰＥ発泡体）からまたは不織布から構成することが可能である。プラスタ材料には、一般に患者側に、生体適合性の接着剤７ａがコーティングされている。
【００３８】
図１〜図３に示した電極の最後の製造ステップでは、電気接触接続媒体が、このために設けられた、プラスタ材料７の凹部７ｂに挿入される。電気接触接続媒体により、人体で生成される電位または装置で生成される測定電流または刺激電流を（好適にはイオンベースで）人体表面（皮膚）から電気接触接続要素にまたは逆方向に導通することができる。接触接続媒体は、例えば、多少は液状化されている（多少はゼリー状にされている）か、または架橋ポリママトリクス（ハイドロジェル）である、塩化物がドーピングされたジェルから構成されることが可能である。しかしながら別の手段によって、例えば、導電性接着剤として、または塩水が充填されたスポンジとして電気接触接続媒体を形成することも可能である。
【００３９】
いずれにせよ、図１〜図３の最後のステップに示されているように電気接触接続媒体８は、凹部７ｂに挿入される。電気接触接続媒体８は、この中で端部領域３ａ（横導体のそこの第２の材料、特に銀／塩化銀）に接触接続する。
【００４０】
特別に構成された横導体３の端部領域の協働により、特に銀／塩化銀のコーティングにより、または別の適切な材料と、導電性の接触接続媒体８の材料と、のコーティングにより、例えば、ノイズのない信号伝送または脱分極作用などのような、電極の適切な電気特性を得ることができ、横導体３の端部における比較的高価な第２の材料３ａの使用を、接触接続媒体８との接触接続が行われる領域に限定することができる。これによってコストがさらに低減される。
【００４１】
全体としては、図１〜図３にしたがって製造する際には、「分散された」電極が得られ、ここでは、接続要素５と接触接続媒体８（ジェル）とが、側方に互いにオフセットされた、支持体１の位置（間隔ｄ）の配置されている。
【００４２】
図１〜図３に示した実施例にとって重要な方法ステップは、次の通りである。
・非導電性の支持体の、皮膚側を向いた下面に、ストライプ状の横導体を被着し、好適には熱活性的に接着し、
・横導体および支持体を貫通する開口部を作成し、好適には打ち抜き加工し、
・支持体の下面から開口部に、１つの部分から成る接続要素を挿入し、これにより、支持体の、反対側の上面に、信号線用の接続個所が突出し、接続要素の、側方に突出する（好適に皿状の）保持領域が、横導体に接触するようにし、
・保持領域の隣で側方に支持体に接着される支持層により、接続要素の保持領域を覆う。
【００４３】
最終的には、次に、電極を完成するため、さらに以下のステップを行う。
・皮膚側に接着するプラスタ層を支持体および／または支持層に被着し（好適には接着し）、
・プラスタ層の凹部に電気接触接続媒体（好適にはジェル）を挿入し、これにより、下に位置する横導体に接触接続させる。
【００４４】
図４〜図６に描画した実施例においてほとんどの方法ステップは、図１〜図３に描画した方法ステップと一致するため、同じ参照符号は同じ部分を示す。
【００４５】
違いは、実質的にステップ５にある。すなわち、図４によれば、ここでは結合体全体を通る２つの切り込み部９が設けられる。次のステップ６では、次に、プラスタ材料７が、上側領域および下側の「翼部」だけに貼り付けられるが（例えば局所的な熱活性化により）、これによって可動なままになっているプレートの領域では、この貼り付けが行われていない。
【００４６】
図４〜図６に示した実施例では全体として、接続個所５ａを備えた接続要素５を支持する可動のプレート１０が得られる。この可動のプレートは、図示しない信号線に加わる引張荷重を、ひいては接続個所５ａに加わる引張荷重を調整し、これにより、この引張荷重は、完全には電極に伝達されない。これにより、全体として患者の皮膚における電極の付着が改善される。
【００４７】
図７には、接続要素５からフランジ状に側方に突出する保持領域５ｃの一実施例が示されている。この保持領域もしくはフランジは、孔５ｄを有する。電極を接着する際に、接着剤は、これらの孔に浸透し、これによって接続要素と残りの電極の部分との付着および回動防止が改善される。
【００４８】
図８に示した実施形態は、同じ目的に使用される。ここでは、皿状に構成された保持領域の周縁部に複数の湾曲部５ｅが設けられている。これらにもホットメルト接着剤が浸透し、これによって付着が改善される。
【００４９】
図示しない信号線は、公知のように構成され、一般には、評価装置または電力供給装置から電極に導かれる、絶縁されたフレキシブルケーブルから構成される。信号線それ自体は、電極の一部ではなく、すなわち電極およびその接続要素とは別に構成される。信号線は、その電極側の端部に、多くの場合に結合部分を有しており、この結合部分を介して、信号線は、機械的および電気的に取り外し可能に、電極の接続要素の接続個所に接続可能であり、接続要素それ自体は、好ましくは、電極に取り付け済みでありかつ持続的にこれに接続されている。
【図１】
2019537489.tif 000003
【図２】
2019537489.tif 000004
【図３】
2019537489.tif 000005
【図４】
2019537489.tif 000006
【図５】
2019537489.tif 000007
【図６】
2019537489.tif 000008
【図７】
2019537489.tif 000009
【図８】
2019537489.tif 000010
【国際調査報告】
2019537489.tif 000011
2019537489.tif 000012
2019537489.tif 000013
2019537489.tif 000014
2019537489.tif 000015
2019537489.tif 000016
2019537489.tif 000017
2019537489.tif 000018
2019537489.tif 000019
2019537489.tif 000020